(57)【要約】【課題】メンテナンスの手間の軽減を可能とする蒸発装置、及び既存の機器への据え付けの手間の軽減を可能とする蒸発装置を得ること。【解決手段】本体機器である手乾燥装置１５から排出されたドレン水を蒸発させる蒸発装置１であって、ドレン水を貯留させる水受容器２と、水受容器２の底部に貯留されたドレン水を吸収し、蒸散させる蒸散部材４と、蒸散部材４へ送風する送風機３と、を有し、少なくとも水受容器２及び蒸散部材４は、一体として本体機器から着脱可能に設けられる。【選択図】図２
2010279550.tif 000002
【特許請求の範囲】
【請求項１】
ドレン水を生じさせる本体装置に取り付けられ、前記本体機器から排出された前記ドレン水を蒸発させる蒸発装置であって、
前記ドレン水を貯留させる水受容器と、
前記水受容器の底部に貯留された前記ドレン水を吸収し、蒸散させる蒸散部材と、
前記蒸散部材へ送風する送風機と、を有し、
少なくとも前記水受容器及び前記蒸散部材は、一体として前記本体機器から着脱可能に設けられることを特徴とする蒸発装置。
【請求項２】
前記本体機器に前記送風機を固定する送風機固定手段を有することを特徴とする請求項１に記載の蒸発装置。
【請求項３】
前記水受容器は、前記送風機を固定する送風機固定手段を有することを特徴とする請求項１に記載の蒸発装置。
【請求項４】
前記送風機に接続された電源プラグを有することを特徴とする請求項３に記載の蒸発装置。
【請求項５】
前記水受容器のうち前記底部側とは反対側において前記蒸散部材を固定する蒸散部材固定手段を有することを特徴とする請求項１〜４のいずれか一つに記載の蒸発装置。
【請求項６】
前記蒸散部材を支持する蒸散部材支持手段を有し、
前記蒸散部材固定手段は、前記蒸散部材支持手段を嵌め込み可能な形状をなすことを特徴とする請求項５に記載の蒸発装置。
【請求項７】
複数の前記蒸散部材は、前記送風機からの空気の進行方向に略垂直な方向へ並列させて、互いに間隔が設けられて配置されていることを特徴とする請求項１〜６のいずれか一つに記載の蒸発装置。
【請求項８】
前記蒸散部材は、凹凸形状をなすことを特徴とする請求項１〜７のいずれか一つに記載の蒸発装置。
【請求項９】
ドレン水を生じさせる本体装置に取り付けられ、前記本体装置から排出された前記ドレン水を蒸発させる蒸発装置であって、
前記ドレン水を貯留させる水受容器と、
前記水受容器の底部に貯留された前記ドレン水を吸収し、蒸散させる蒸散部材と、
前記蒸散部材へ送風する送風機と、を有し、
前記水受容器と、前記蒸散部材と、前記送風機とは、一体として前記本体機器から着脱可能に設けられることを特徴とする蒸発装置。
【発明の詳細な説明】
【技術分野】
【０００１】
本発明は、手乾燥装置等の本体機器から排出されたドレン水を蒸発させる蒸発装置に関する。
【背景技術】
【０００２】
従来、手乾燥装置には、濡れた手から吹き飛ばされた水を水受容器に導き、水受容器で所定の容量の水を貯留させるものがある。貯留された水が水受容器から溢れる前に、手乾燥装置本体の清掃時等において、水捨ての作業がなされる。このような水捨ての作業を要する場合、水受容器の水位を定期的に確認する手間が煩雑となる。そこで、水受容器に貯留された水を蒸発させる蒸発手段を手乾燥装置に設ける技術が提案されている。例えば、特許文献１には、手乾燥装置の動作時に噴出させる空気の通り道であるチャンバー内に水受容器と蒸散部材とを設ける技術が提案されている。水受容器に貯留された水は、手乾燥動作時の送風や、特定の蒸発モードでの送風により、蒸発を促進させる。
【０００３】
また、水受容器内に設けられた蒸散部材に水を吸収させ、水受容器外に設けられた送風機からの送風によって蒸発を促進させる技術もある。例えば、特許文献２には、蒸散部材である布帛に吸収させたドレン水を送風によって蒸発させる給湯器の技術が提案されている。また、特許文献３には、蒸散部材である蒸発布に吸収させたドレン水を送風によって蒸発させる低温ショーケースの技術が提案されている。水受容器内に蒸散部材を設ける技術では、蒸散部材による毛細管現象を利用することで、蒸散部材の最大保水量が常に保たれることとなる。蒸散部材によって有効気化面積を稼ぐとともに蒸散部材へ向けた送風により、ドレン水の蒸発を促進させる。
【先行技術文献】
【特許文献】
【０００４】
【特許文献１】特開２００８−４３６７３号公報
【特許文献２】特開２００７−８５５７９号公報
【特許文献３】特開２００５−２７４０８８号公報
【発明の概要】
【発明が解決しようとする課題】
【０００５】
蒸発装置の使用に際しては、水受容器や蒸散部材に汚れが生じた場合に、水受容器や蒸散部材の洗浄が必要となる。また、蒸散部材の汚損や劣化に対しては、蒸散部材の交換がなされることとなる。例えば特許文献１の技術のようにチャンバー内に水受容器と蒸散部材とを設ける構成では、清掃や蒸散部材の交換のたびにチャンバー内の気密が確保されたか否かの確認等を要するため、メンテナンスに多大な手間がかかることとなる。また、抗菌剤を含む蒸散部材は、表面に汚れなどの膜が形成されると、十分な抗菌作用を発揮することが難しくなる。このため、清掃や蒸散部材の交換などのメンテナンスを行わないままとすると、貯留された水に含まれる菌が繁殖し、例えば手乾燥の際に臭気が発生する等の問題が生じることとなる。
【０００６】
また、特許文献２や３の技術のように本体機器内に水受容器が固定される場合、水受容器の着脱を要するメンテナンスのたびに本体機器を開ける手間がかかることとなる。さらに、特許文献１〜３の技術のいずれも、ドレン水の蒸発手段を設けるための構成を機器に予め備えることを要する。このため、既存の機器に後付けの蒸発手段を設けることは非常に困難であって、既存の機器に蒸発手段を設けるために構成全体を取り換えることとなると使用者に大変な負担となる。
【０００７】
本発明は、上記に鑑みてなされたものであって、メンテナンスの手間の軽減を可能とする蒸発装置を得ることを第１の目的とする。また、本発明は、既存の機器への据え付けの手間の軽減を可能とする蒸発装置を得ることを第２の目的とする。
【課題を解決するための手段】
【０００８】
上述した課題を解決し、目的を達成するために、本発明は、ドレン水を生じさせる本体装置に取り付けられ、前記本体機器から排出された前記ドレン水を蒸発させる蒸発装置であって、前記ドレン水を貯留させる水受容器と、前記水受容器の底部に貯留された前記ドレン水を吸収し、蒸散させる蒸散部材と、前記蒸散部材へ送風する送風機と、を有し、少なくとも前記水受容器及び前記蒸散部材は、一体として前記本体機器から着脱可能に設けられることを特徴とする。
【０００９】
また、本発明は、ドレン水を生じさせる本体装置に取り付けられ、前記本体装置から排出された前記ドレン水を蒸発させる蒸発装置であって、前記ドレン水を貯留させる水受容器と、前記水受容器の底部に貯留された前記ドレン水を吸収し、蒸散させる蒸散部材と、前記蒸散部材へ送風する送風機と、を有し、前記水受容器と、前記蒸散部材と、前記送風機とは、一体として前記本体機器から着脱可能に設けられることを特徴とする。
【発明の効果】
【００１０】
本発明によれば、本体機器から水受容器及び蒸散部材を一体として着脱可能とすることで、清掃や蒸散部材の交換などのメンテナンスの手間を軽減できるという効果を奏する。
【００１１】
また、本発明によれば、本体機器から水受容器、蒸散部材、送風部を一体として着脱可能とすることで、既存の機器の水受容器と蒸発装置との取り換えが可能となり、既存の機器への据え付けの手間を軽減できるという効果を奏する。
【図面の簡単な説明】
【００１２】
【図１】図１は、実施の形態１に係る蒸発装置、及び手乾燥装置の斜視図である。
【図２】図２は、図１に示す構成の鉛直方向の断面図である。
【図３】図３は、手乾燥装置に蒸発装置が取り付けられた構成のうち送風機を含む一部分の断面図である。
【図４】図４は、手乾燥装置から取り外された水受容器の斜視図である。
【図５】図５は、水受容器から上面部を取り外した状態における、蒸発装置の上面図である。
【図６】図６は、実施の形態２に係る蒸発装置が手乾燥装置に取り付けられた構成のうち送風機を含む一部分の斜視図である。
【図７】図７は、手乾燥装置から取り外された水受容器の斜視図である。
【発明を実施するための形態】
【００１３】
以下に、図面に基づいて、本発明に係る蒸発装置の実施の形態を詳細に説明する。
【００１４】
実施の形態１．
図１は、本発明の実施の形態１に係る蒸発装置１、及び手乾燥装置１５の斜視図である。蒸発装置１は、本体機器である手乾燥装置１５から排出されたドレン水を蒸発させる。手乾燥装置１５は、Ｕの字型に窪んだ乾燥室１６を備える。乾燥室１６の前壁面の上部、後壁面の上部には、いずれも複数の吹出ノズル１７が形成されている。排水口１８は、乾燥室１６の底部に設けられている。
【００１５】
水で濡れた手を手乾燥装置１５の上方から乾燥室１６へ挿入すると、吹出ノズル１７から風が噴出する。手の平と甲との両面に付着している水滴は、吹出ノズル１７からの風によって吹き飛ばされる。手乾燥装置１５は、手に付着した水滴を吹き飛ばすことにより、手を乾燥させる。手から吹き飛ばされた水滴は、乾燥室１６の内壁及び底部で受け止められる。
【００１６】
図２は、図１に示す構成の鉛直方向の断面図である。図示する構成は、蒸発装置１及び手乾燥装置１５の正面側から断面を見た状態を表している。蒸発装置１は、手乾燥装置１５の下側に配置されている。蒸発装置１は、水受容器２、送風機３、及び蒸散部材４を備える。ホース７の上端部は、排水口１８に連結されている。ホース７の下端部は、水受容器２の上面部８に設けられた開口に連結されている。
【００１７】
乾燥室１６の内壁及び底部で受け止められた水は、ドレン水となって排水口１８からホース７を通り、水受容器２へ導入される。水受容器２は、ホース７を通って導入されたドレン水を貯留させる。水受容器２の底部には、ドレン水を貯留させるための空間が設けられている。オーバーフロー穴９は、水受容器２の底部に貯留されたドレン水が満水となった場合に、ドレン水をオーバーフローさせる。オーバーフロー穴９は、主に、送風機３にドレン水がかかることを防ぐために設けられている。
【００１８】
水受容器２の一方の側面には、蒸発装置１の外部から空気が流入する給気口５が設けられている。水受容器２のうち給気口５が設けられた側面とは反対の側面には、蒸発装置１から外部へ空気が排出する排気口６が設けられている。
【００１９】
蒸散部材４は、水受容器２の底部に貯留されたドレン水を吸収し、蒸散させる。蒸散部材４は、高い吸水性と高い蒸散性とを備える材料、例えば、多孔性の繊維等を用いて構成されている。蒸散部材４は、給気口５と排気口６との間であって、送風機３に対して、送風の下流側に配置されている。
【００２０】
蒸散部材固定手段１０は、水受容器２のうち底部側とは反対側において、蒸散部材４を固定する。蒸散部材４は、蒸散部材固定手段１０により上端部が水受容器２に固定されることで、水受容器２と一体とされている。蒸散部材４は、水受容器２の底部に貯留されたドレン水に下端部が接触するように、水受容器２の内部で吊り下げられている。送風機３は、蒸発装置１の外部の空気を給気口５から取り込み、蒸散部材４へ向けて送風する。給気口５から取り込まれた空気は、蒸散部材４を経て排気口６に向かって進行する。
【００２１】
図３は、手乾燥装置１５に蒸発装置１が取り付けられた構成のうち送風機３を含む一部分の断面図である。図３に示す構成は、図２に示す断面に垂直な断面を蒸散部材４側から見た状態を表している。送風機固定手段１１は、手乾燥装置１５に送風機３を固定する。送風機固定手段１１は、Ｌ字型部材１１ａと、Ｉ字型部材１１ｂとを備える。
【００２２】
Ｌ字型部材１１ａは、送風機３から手乾燥装置１５の背面側へ伸ばされた部分と、手乾燥装置１５に固定される部分とが略直交しており、図示する断面においてＬ字形状をなしている。Ｉ字型部材１１ｂは、送風機３から手乾燥装置１５に向けて上部へ伸ばされ、図示する断面においてＩ字型をなしている。Ｌ字型部材１１ａとＩ字型部材１１ｂとは、例えばネジ止めによって送風機３を手乾燥装置１５に固定する。
【００２３】
図４は、手乾燥装置１５から取り外された水受容器２の斜視図である。送風機固定手段１１により手乾燥装置１５に送風機３を固定することで、蒸発装置１は、手乾燥装置１５に送風機３を残したまま、送風機３以外の構成を一体として簡単に着脱することができる。
【００２４】
図５は、水受容器２から上面部８（図２参照）を取り外した状態における、蒸発装置１の上面図である。水受容器２の内部には、複数の蒸散部材４が設けられている。蒸散部材４は、いずれも、図示する面内において凹部と凸部とが交互に設けられた凹凸形状をなしている。各蒸散部材４は、シート状の部材を複数箇所で折り曲げることにより構成されている。複数の蒸散部材４は、送風機３からの空気の進行方向に略垂直な方向（図５では上下方向）へ並列させて設けられている。蒸散部材４は、いずれも凹凸形状を揃えて、間隔が設けられて配置されている。蒸散部材４同士の間には、凹凸形状に沿って蛇行するような風路１３が形成されている。
【００２５】
蒸散部材４は、平坦形状では強度が乏しく自重で折れ曲がるような薄い素材を用いる場合であっても、凹凸形状とすることで強度を持たせ、形状を維持させることが可能となる。蒸散部材４の形状を維持可能とすることで、風に対して風路１３の形状を保持し易い構成にできる。また、蒸散部材４を配置する間隔を狭めることで、風路１３を確保しながら蒸散部材４の充填率を高めることができる。容積のサイズが決められた水受容器２において多くの蒸散部材４を設けることで、ドレン水を気化させる表面積を多く確保できる。
【００２６】
また、蒸散部材４を凹凸形状とすることにより、蒸散部材４を平坦な板形状とする場合よりも表面積を稼ぐとともに、風を蒸散部材４に接触させ易くできる。従って、蒸発装置１は、蒸散部材４へ送る空気をヒータ等で加熱しなくても、送風のみによってドレン水の効果的な蒸発促進が可能となる。
【００２７】
蒸散部材支持手段１９は、複数の蒸散部材４を支持する。蒸散部材支持手段１９は、各蒸散部材４の上端部を、送風の上流側と下流側とで固定することにより、各蒸散部材４を支持している。蒸散部材固定手段１０は、蒸散部材支持手段１９を嵌め込み可能な形状をなしている。蒸散部材固定手段１０は、複数の蒸散部材４を支持している蒸散部材支持手段１９が嵌め込まれることで、複数の蒸散部材４を固定する。
【００２８】
蒸散部材支持手段１９により支持されている複数の蒸散部材４は、全体を一つの構造体として取り扱うことが可能となる。複数の蒸散部材４は、蒸散部材固定手段１０からの蒸散部材支持手段１９の引き抜き及び差し込みにより、水受容器２から容易に着脱できる。
【００２９】
吹出ノズル１７（図２参照）から噴出される高速気流によって手から吹き飛ばされた水は、乾燥室１６の下部に設けられた排水口１８からホース７を伝って、水受容器２に導入される。水受容器２内に導入されたドレン水の一部は、蒸散部材４に直接吸収されるか、水受容器２の内壁を伝い、水受容器２の底部に貯留される。水受容器２の底部に貯留されたドレン水は、毛細管現象によって蒸散部材４へ十分に吸い上げられる。送風機３によって給気口５から水受容器２内へ流動した空気は、風路１３を通過することにより蒸散部材４の表面から水分を奪い、排水口６から水受容器２の外部へ排出される。蒸発装置１は、このようにして水分の蒸発を促進させる。
【００３０】
蒸発装置１は、送風機３以外の構成を一体として簡単に着脱可能とすることで、水受容器２内部の清掃や、蒸散部材４の交換等のメンテナンスを容易にすることができる。また、水受容器２や蒸散部材４を手軽に水洗いすることも可能である。蒸散部材４を交換する場合は、蒸散部材４を蒸散部材支持手段１９ごと蒸散部材固定手段１０から取り外し、蒸散部材４を新品に入れ替えるだけで良いため、従来の場合と比較して蒸散部材４の交換の手間を大幅に軽減できる。
【００３１】
なお、蒸発装置１は、少なくとも水受容器２及び蒸散部材４を一体として本体機器から着脱可能であれば良く、適宜変形しても良い。例えば、水受容器２及び蒸散部材４以外の構成も本体機器から着脱可能としても良く、水受容器２及び蒸散部材４の着脱に際して送風機３以外の要素を本体装置に残す構成としても良い。
【００３２】
実施の形態２．
図６は、実施の形態２に係る蒸発装置１０１が手乾燥装置１５に取り付けられた構成のうち送風機１０３を含む一部分の断面図である。図７は、手乾燥装置１５から取り外された水受容器１０２の斜視図である。本実施の形態に係る蒸発装置１０１は、水受容器１０２と、蒸散部材４と、送風機１０３とが、手乾燥装置１５から一体として着脱可能に設けられることを特徴とする。
【００３３】
本実施の形態に係る蒸発装置１０１は、ドレン水の導入や給排気に関する構成、蒸散部材４の構成、水受容器１０２へ蒸散部材４を固定するための構成、送風機１０３の配置などに関しては、実施の形態１に係る蒸発装置１と同様である。実施の形態１と共通する構成については同一の符号を付して説明を省略する。
【００３４】
水受容器１０２は、送風機１０３を固定する送風機固定手段１１１を有する。送風機固定手段１１１は、送風機１０３に対して、手乾燥装置１５の正面側と、背面側とに設けられている。送風機固定手段１１１は、凸型のレール形状をなしている。送風機１０３は、送風機固定手段１１１を嵌め込み可能に形成された凹型のレール受け部１１２を備える。送風機１０３は、レール受け部１１２に送風機固定手段１１１を嵌め合わせて、水受容器１０２の側面から挿入することで、水受容器１０２の内部に設置される。また、送風機１０３は、水受容器１０２から引き抜くことで、水受容器１０２から取り外すこともできる。
【００３５】
送風機固定手段１１１及びレール受け部１１２の位置及び数は図示する場合に限られず、適宜変形しても良い。例えば、送風機固定手段１１１及びレール受け部１１２は、手乾燥装置１５の正面側と背面側とで、水受容器１０２の底部からの高さを異ならせることとしても良い。この場合、水受容器１０２に対する送風機１０３の向きの間違いを防ぐことが可能となる。
【００３６】
送風機固定手段１１１により水受容器１０２に送風機１０３を固定することで、蒸発装置１０１は、水受容器１０２、蒸散部材４、及び送風機１０３を一体として、手乾燥装置１５から着脱することができる。これにより、既存の本体機器に設けられている水受容器に代えて、本実施の形態に係る蒸発装置１０１と容易に設置することが可能となる。
【００３７】
蒸発装置１０１は、送風機１０３に接続された電源プラグ１２０を有する。蒸発装置１０１は、電源プラグ１２０がコンセントへ差し込まれることにより、送風機１０３へ例えばＡＣ１００Ｖの電源を供給できる。これにより、既存の本体機器に蒸発装置１０１を後付けする場合に、送風機１０３への電源供給が可能となる。
【００３８】
送風機１０３は、蒸発装置１０１の内部から外部へ電源プラグ１２０のコードを貫通させる貫通穴が設けられ、貫通穴から蒸発装置１０１の外部へ電源プラグ１２０が引き出されている。これにより、水受容器１０２から送風機１０３を取り外す際に電源プラグ１２０が妨げになることや、水受容器１０２に貯留されたドレン水に電源プラグ１２０が浸されることを防ぐことができる。
【００３９】
蒸発装置１０１は、水受容器１０２、蒸散部材４、及び送風機１０３を一体として、手乾燥装置１５から着脱可能とすることで、水受容器１０２内部の清掃や蒸散部材４の交換等のメンテナンスが可能となる。水受容器１０２や蒸散部材４の水洗いの際は、水受容器１０２から送風機１０３を取り外すことが望ましい。これにより、水洗いの際に送風機１０３へ水がかかることを防ぐことができる。
【００４０】
送風機固定手段１１１に沿って水受容器１０２の側面から送風機１０３をスライドさせることで、蒸発装置１０１からの送風機１０３の着脱を容易にできる。これにより、蒸発装置１０１のうち送風機１０３以外の要素について、水洗い等の清掃が可能となる。また、送風機１０３を取り外すことで、蒸散部材４等の交換の際に作業空間を広く確保することができ、作業性を向上させることができる。
【００４１】
本実施の形態に係る蒸発装置１０１は、従来使用されている手乾燥装置に装着されている水受容器との付け換えが可能であって、電源を用意することで、一般に使用されている手乾燥装置への装着が可能である。これにより、本体装置の買い換えを伴うような大掛かりな取り換え作業を不要とすることができ、既存の機器への据え付けの手間を軽減できる。
【００４２】
なお、各実施の形態で説明する蒸発装置は、手乾燥装置１５に適用されるものに限られない。蒸発装置が適用される本体機器は、ドレン水を発生させるいずれの機器であっても良い。例えば、蒸発装置は、凝結水が発生する熱交換器に適用し、凝結水の蒸発に使用しても良い。
【産業上の利用可能性】
【００４３】
以上のように、本発明に係る蒸発装置は、手乾燥装置に適用される場合に有用である。
【符号の説明】
【００４４】
１、１０１  蒸発装置
２、１０２  水受容器
３、１０３  送風機
４  蒸散部材
１０  蒸散部材固定手段
１１、１１１  送風機固定手段
１５  手乾燥装置
１９  蒸散部材支持手段
１２０  電源プラグ
【図１】
2010279550.tif 000003
【図２】
2010279550.tif 000004
【図３】
2010279550.tif 000005
【図４】
2010279550.tif 000006
【図５】
2010279550.tif 000007
【図６】
2010279550.tif 000008
【図７】
2010279550.tif 000009